(57)【要約】      （修正有）【課題】消費電力を抑えることができる引戸の開放制限装置を提供する。【解決手段】引戸を所定の開き量以上に開かないように制限する引戸の開放制限装置６は、建物側に固定され、引戸に対し係止部材６６を進退可能な係止機構６５と、建物側に固定され、所定の開き量よりも小さい第１開き量以上に引戸が開かれると音を発する通知部６２と、を含む。係止部材６６は、少なくとも所定の開き量において前進位置で引戸と接触して引戸を所定の開き量以上には開かないように制限し、かつ、第１開き量以下では動作しないように設定される。通知部６２は、第１開き量以上に引戸が開かれると音を発し、引戸の開き量が第１開き量より小さいと音を発しない。【選択図】図２
0003201209.tif 000002
【実用新案登録請求の範囲】
【請求項１】
引戸（４）を所定の開き量（Ｌ３）以上には開かないように制限する引戸の開放制限装置（６）において、
建物側に固定され、前記引戸（４）に対し係止部材（６６）を進退可能な係止機構（６５）と、
建物側に固定され、前記所定の開き量（Ｌ３）よりも小さい第１開き量（Ｌ１）以上に前記引戸（４）が開かれると音を発する通知部（６２）と、
を含み、
前記係止部材（６６）は、少なくとも前記所定の開き量（Ｌ３）において前進位置で前記引戸（４）と接触して前記引戸（４）を前記所定の開き量（Ｌ３）以上には開かないように制限し、かつ、前記第１開き量（Ｌ１）以下では動作しないように設定され、
前記通知部（６２）は、前記第１開き量（Ｌ１）以上に前記引戸（４）が開かれると音を発し、前記引戸（４）の開き量が前記第１開き量（Ｌ１）より小さいと音を発しない、引戸の開放制限装置。
【請求項２】
請求項１において、
前記引戸（４）の開き量が前記第１開き量（Ｌ１）であることを検出する検出部（６３）をさらに含み、
前記通知部（６２）は、前記引戸（４）が開かれて前記検出部（６３）が前記引戸（４）の開き量が前記第１開き量（Ｌ１）であることを検出すると、音を所定時間連続して発する、引戸の開放制限装置。
【請求項３】
請求項２において、
前記検出部（６３）は、第１検出部（６３）であり、
前記第１検出部（６３）と前記係止部材（６６）との間に第２検出部（６４）をさらに含み、
前記第２検出部（６４）は、前記引戸（４）が前記第１開き量（Ｌ１）を超えた第２開き量（Ｌ２）まで開いたことを検出し、
前記係止機構（６５）は、前記引戸（４）が前記所定の開き量（Ｌ３）に至る前に、前記第２検出部（６４）の検出結果に基づいて前記係止部材（６６）を前記所定の開き量（Ｌ３）以上には開かないように制限する状態にする、引戸の開放制限装置。
【請求項４】
請求項３において、
前記引戸（４）が前記第２開き量（Ｌ２）まで開かれると前記通知部（６２）が音を連続して発し、
前記引戸（４）が前記第２開き量（Ｌ２）を超えるまで開いた後に前記第２開き量（Ｌ２）未満に戻された場合に、前記通知部（６２）が音を停止する、引戸の開放制限装置。
【請求項５】
請求項１〜４のいずれか１項において、
建物側に固定され、前記引戸（４）と機械的に接触する接触部（６８）をさらに含み、
前記接触部（６８）が前記引戸（４）と接触して前記引戸（４）の移動に対して負荷を与えることによって、前記引戸（４）を開く者に前記引戸（４）が前記第１開き量（Ｌ１）に達したことを通知する、引戸の開放制限装置。
【請求項６】
請求項１〜５のいずれか１項において、
前記通知部（６２）の発する音は、警報音である、引戸の開放制限装置。
【考案の詳細な説明】
【技術分野】
【０００１】
本考案は、引戸の開放量を制限する引戸の開放制限装置に関する。
【背景技術】
【０００２】
近年、医療施設や介護施設などにおいて、個室に設けられた窓や戸に取り付けて所定量以上窓や戸が開かないようにする窓戸開放制限装置が提案されている（例えば、特許文献１）。このような窓戸開放制限装置は、室内の換気をする程度の窓や戸の開き量を許容しつつ、人の出入りができない程度しか窓や戸が開かないように機械的に制限するものである。窓戸開放制限装置をより具体的に説明すると、既存の窓戸または窓戸枠の一方の適宜位置に当接部材を取り付け、他方に本体部とを取り付けて、窓戸が所定量開いたときに本体部から係止部材を突出させて当接部材に当接することで窓戸がそれ以上開くのを阻止するものである。
【０００３】
従来の窓戸開放制限装置は、この係止部材を突出させる動作のためまたは係止部材が突出した状態を維持させるためにソレノイドを採用し、このソレノイドに通電することで動作させまたは突出した状態を維持させている。利用者は窓戸開放制限装置が働くまで、すなわち係止部材によって窓戸の移動が制限されるまで窓戸を開くように操作することは当然であり、したがって、窓戸が所定量開いている間は常にソレノイドに通電しなければならない。しかしながら、このように換気のために長時間窓をわずかに開いておくことは日常ではよくあることであり、省エネルギーの観点からは問題である。特に、多数の個室を有する病院や介護施設などにおいては、施設全体での窓戸開放制限装置による消費電力も大きくなる。
【先行技術文献】
【特許文献】
【０００４】
【特許文献１】特開２００３−７４２４７号公報
【考案の概要】
【考案が解決しようとする課題】
【０００５】
そこで、本考案のいくつかの態様に係る目的の１つは、消費電力を抑えることができる引戸の開放制限装置を提供することにある。
【課題を解決するための手段】
【０００６】
［適用例１］
本適用例に係る引戸の開放制限装置は、
引戸（４）を所定の開き量（Ｌ３）以上には開かないように制限する引戸の開放制限装置（６）において、
建物側に固定され、前記引戸（４）に対し係止部材（６６）を進退可能な係止機構（６５）と、
建物側に固定され、前記所定の開き量（Ｌ３）よりも小さい第１開き量（Ｌ１）以上に前記引戸（４）が開かれると音を発する通知部（６２）と、
を含み、
前記係止部材（６６）は、少なくとも前記所定の開き量（Ｌ３）において前進位置で前記引戸（４）と接触して前記引戸（４）を前記所定の開き量（Ｌ３）以上には開かないように制限し、かつ、前記第１開き量（Ｌ１）以下では動作しないように設定され、
前記通知部（６２）は、前記第１開き量（Ｌ１）以上に前記引戸（４）が開かれると音を発し、前記引戸（４）の開き量が前記第１開き量（Ｌ１）より小さいと音を発しないこ
とを特徴とする。
【０００７】
本適用例に係る引戸の開放制限装置によれば、音を発することで利用者に所定の開き量に達したことを通知し、引戸をそれ以上大きく開かないこと、あるいは引戸を戻すように促すことにより、係止機構を動作させない範囲で引戸を開くこととなり、消費電力を抑えることができる。
【０００８】
［適用例２］
本適用例に係る引戸の開放制限装置において、
前記引戸（４）の開き量が前記第１開き量（Ｌ１）であることを検出する検出部（６３）をさらに含み、
前記通知部（６２）は、前記引戸（４）が開かれて前記検出部（６３）が前記引戸（４）の開き量が前記第１開き量（Ｌ１）であることを検出すると、音を所定時間連続して発することができる。
【０００９】
本適用例に係る引戸の開放制限装置によれば、検出部によって引戸が第１開き量以上に開かれたことを検出できる。また、通知部の音は所定時間経過後に停止するため、消費電力に与える影響が少ない。
【００１０】
［適用例３］
本適用例に係る引戸の開放制限装置において、
前記検出部（６３）は、第１検出部（６３）であり、
前記第１検出部（６３）と前記係止部材（６６）との間に第２検出部（６４）をさらに含み、
前記第２検出部（６４）は、前記引戸（４）が前記第１開き量（Ｌ１）を超えた第２開き量（Ｌ２）まで開いたことを検出し、
前記係止機構（６５）は、前記引戸（４）が前記所定の開き量（Ｌ３）に至る前に、前記第２検出部（６４）の検出結果に基づいて前記係止部材（６６）を前記所定の開き量（Ｌ３）以上には開かないように制限する状態にすることができる。
【００１１】
本適用例に係る引戸の開放制限装置によれば、２つの検出部により引戸の開き量をより正確に検出することができ、２つの検出部の配置によって第１開き量と第２開き量とを所望の量に設定できる。
【００１２】
［適用例４］
本適用例に係る引戸の開放制限装置において、
前記引戸（４）が前記第２開き量（Ｌ２）まで開かれると前記通知部（６２）が音を連続して発し、
前記引戸（４）が前記第２開き量（Ｌ２）を超えるまで開いた後に前記第２開き量（Ｌ２）未満に戻された場合に、前記通知部（６２）が音を停止することができる。
【００１３】
本適用例に係る引戸の開放制限装置によれば、引戸が第２開き量以上に開かれている間、音を連続して発することで音が停止するまで利用者に引戸を戻すように促すことができる。また、本適用例に係る引戸の開放制限装置によれば、係止機構が動作しなくなる第２開き量未満に戻されると通知部が音を停止するため、消費電力をさらに抑えることができる。
【００１４】
［適用例５］
本適用例に係る引戸の開放制限装置において、
建物側に固定され、前記引戸（４）と機械的に接触する接触部（６８）をさらに含み、
前記接触部（６８）が前記引戸（４）と接触して前記引戸（４）の移動に対して負荷を与えることによって、前記引戸（４）を開く者に前記引戸（４）が前記第１開き量（Ｌ１）に達したことを通知することができる。
【００１５】
本適用例に係る引戸の開放制限装置によれば、音と共に、接触部による負荷によって利用者に引戸が第１開き量に達したことを通知できる。
【００１６】
［適用例６］
本適用例に係る引戸の開放制限装置において、
前記通知部（６２）の発する音は、警報音であることができる。
【００１７】
本適用例に係る引戸の開放制限装置によれば、警報音により利用者に適切な開き量ではないことを明確に通知できる。
【考案の効果】
【００１８】
本考案に係る引戸の開放制限装置は、利用者に第１開き量より小さくなるまで引戸を戻すように通知部の音によって促すことにより、係止機構を動作させない範囲で引戸を開くこととなり、消費電力を抑えることができる。
【図面の簡単な説明】
【００１９】
【図１】引戸４に取り付けられた本実施形態に係る開放制限装置６を模式的に示す正面図である。
【図２】引戸４に取り付けられた本実施形態に係る開放制限装置６の拡大図である。
【図３】引戸４を開いたときの本実施形態に係る開放制限装置６の動作について説明する図である。
【図４】引戸４を開いたときの本実施形態に係る開放制限装置６の動作について説明する図である。
【図５】引戸４を開いたときの本実施形態に係る開放制限装置６の動作について説明する図である。
【図６】引戸４を閉める方向に移動したときの本実施形態に係る開放制限装置６の動作について説明する図である。
【図７】図５におけるＡ−Ａ断面図である。
【図８】引戸４に取り付けられた変形例に係る開放制限装置６ａを模式的に示す図である。
【図９】本実施形態に係る開放制限装置６と従来の開放制限装置との引戸４の開放操作における電流値を比較する図である。
【考案を実施するための形態】
【００２０】
以下、本考案の好適な実施形態について、図面を用いて詳細に説明する。なお、以下に説明する実施形態は、実用新案登録請求の範囲に記載された本考案の内容を不当に限定するものではない。また、以下で説明される構成の全てが本考案の必須構成要件であるとは限らない。
【００２１】
本実施形態に係る引戸の開放制限装置は、引戸４を所定の開き量Ｌ３以上には開かないように制限する引戸の開放制限装置６において、建物側に固定され、前記引戸４に対し係止部材６６を進退可能な係止機構６５と、建物側に固定され、前記所定の開き量Ｌ３よりも小さい第１開き量Ｌ１以上に前記引戸４が開かれると音を発する通知部６２と、を含み、前記係止部材（６６）は、少なくとも前記所定の開き量（Ｌ３）において前進位置で前記引戸（４）と接触して前記引戸（４）を前記所定の開き量（Ｌ３）以上には開かないように制限し、かつ、前記第１開き量（Ｌ１）以下では動作しないように設定され、前記通
知部６２は、前記第１開き量Ｌ１以上に前記引戸４が開かれると音を連続して発し、前記引戸４の開き量が前記第１開き量Ｌ１より小さいと音を発しないことを特徴とする。
【００２２】
１．引戸の開放制限装置の概要
まず、図１を用いて、本実施形態に係る引戸の開放制限装置６の概要について説明する。図１は引戸４に取り付けられた本実施形態に係る開放制限装置６を模式的に示す図である。
【００２３】
図１に示すように、開放制限装置６は、引戸４に固定された窓側取付部材７０と、上枠１に固定された取付ボックス６０と、を含む。ここで、引戸４は、左右に引き動かして開け閉めを行う戸であって、人が室内からベランダや屋外へ出入りする開口に設ける大型の戸のみならず、通常人が出入りするものではないが人が通り抜けることができる程度の窓も含む。したがって、本願における引戸４は、引戸のみならず、引違い戸、片引き窓、引違い窓をも含む概念である。上枠１は、引戸４，５の周囲の建物に固定された枠の一部であって、引戸４，５の上方に配置される。上枠１を含む枠は、引戸４を建物に取り付けるための部材である。
【００２４】
引戸４の開放制限装置６は、引戸４を所定の開き量Ｌ３以上には開かないように制限するものであって、引戸４を開放操作する者（利用者）に係止機構６５の電力が発生しない範囲での引戸４の開放を促すものである。
【００２５】
取付ボックス６０及び窓側取付部材７０は、室内側に取り付けられるが、室外側に取り付けてもよい。
【００２６】
引戸５は縦枠３に固定され、引戸４のみを開閉することができる例について説明する。引戸４，５は、窓枠（框）４０，５０の内側にガラス４２，５２が設けられている。図１では、引戸４を矢印の方向へわずかに開いた状態を示しており、縦枠２と窓枠４０との間に換気用の隙間が空いている。
【００２７】
ここでは、取付ボックス６０を建物側に固定し、窓側取付部材７０を引戸４側に固定しているが、逆であってもよい。
【００２８】
２．取付ボックス
図２を用いて取付ボックス６０について説明する。図２は、引戸４に取り付けられた本実施形態に係る開放制限装置６の拡大図である。図２では取付ボックス６０の手前側の蓋を省略して内部の構造がわかるように示している。また、図２では引戸４は縦枠２に接触した状態、すなわち引戸４が閉じた状態を示している。引戸４は図２における左方向へ移動させることで開く。
【００２９】
図２に示すように、取付ボックス６０の内部には、回路６１、通知部６２、第１検出部６３、第２検出部６４及び係止機構６５が収納されている。回路６１は取付ボックス６０の外にある管理装置６７と接続されており、管理装置６７はこの引戸４のある部屋とは異なる管理室などにあって複数の部屋の取付ボックス６０に電気的に接続していてもよい。
【００３０】
回路６１と、通知部６２、第１検出部６３、第２検出部６４及び係止機構６５とは電気的に接続されている。通知部６２、第１検出部６３、第２検出部６４及び係止機構６５は、回路６１を介して管理装置６７によって制御してもよい。回路６１は、第１検出部６３の信号を受けて通知部６２に通電し（または通電を停止し）、第２検出部６４の信号を受けて係止機構６５に通電（または通電を停止）する回路構成を内部に含む。回路６１は、マイコンを内蔵してもよく、その場合には第１、第２検出部６３，６４の信号に基づいて
より複雑な制御を行うことができる。管理装置６７は、回路６１への電力の供給／遮断を利用者または管理者が行うスイッチを含み、地震や火災発生時には緊急事態措置を自動で行う制御部を含んでもよい。管理装置６７は、個室から離れた管理室などにあってもよい。
【００３１】
２−１．通知部
通知部６２は、建物側に固定（上枠１に固定された取付ボックス６０に固定）され、所定の開き量Ｌ３（図５を参照）よりも小さい第１開き量Ｌ１（図３を参照）以上に引戸４が開かれると音を発する。
【００３２】
「開き量」とは、引戸４が図１の左方向へスライドされて開いた開口幅である。
【００３３】
通知部６２は、第１開き量Ｌ１以上に引戸４が開かれると音を発し、引戸４の開き量が第１開き量Ｌ１より小さいと音を発しない。このように、音を発することで利用者に所定の開き量（少なくとも第１開き量Ｌ１）に達したことを通知し、それ以上に引戸を大きく開かないことあるいは引戸４を戻すように利用者に促すことにより、係止機構６５を動作させない範囲で引戸４を開くこととなり、消費電力を抑えることができる。
【００３４】
通知部６２は、引戸４が開かれて第１検出部６３が第１開き量Ｌ１であることを検出すると、音を所定時間連続して発する。すなわち、引戸４の開き量が第１開き量Ｌ１以上第２開き量Ｌ２未満である場合には、通知部６２は音を所定時間連続して発した後に停止する。所定時間とは、利用者が音に気が付く程度であればよく、例えば０．５秒〜５秒程度でよい。この音によって利用者は引戸４をこれ以上開くと警報音が鳴り続けることを予測し、引戸４を開く手を止めることになる。通知部６２の音は所定時間経過後に停止するため、消費電力に与える影響が少ない。なお、連続して音を発するとは、切れ目なく音を発し続けることに限られず、断続的に発する音を継続的に発し続けることも含む。
【００３５】
また、通知部６２の発する音は、警報音であってもよい。警報音であれば、利用者に適切な開き量ではないことを明確に通知できる。さらに、通知部６２の発する音は、音声案内であってもよく、例えば「窓が開きすぎています。もう少し窓を閉じてください。」といった音声を繰り返し発するものでもよい。音声案内であれば、利用者によりわかりやすく通知できる。
【００３６】
通知部８２は、引戸４が第２開き量Ｌ２まで開かれると音を連続して発し、引戸４が第２開き量Ｌ２を超えるまで開いた後に第２開き量Ｌ２未満に戻された場合に、通知部６２が音を停止することができる。このように、引戸４が第２開き量Ｌ２以上に開かれている間、音を連続して発することで音が停止するまで利用者に引戸４を戻すように促すことができる。また、係止機構６５が動作しなくなる第２開き量Ｌ２未満に戻されると通知部６２が音を停止することで、消費電力をさらに抑えることができる。
【００３７】
通知部６２の発する音は、引戸４の開き量が第１開き量Ｌ１以上第２開き量Ｌ２未満である場合と、第２開き量Ｌ２以上の場合とで異なる音にしてもよい。利用者に所定時間経過後に停止する警報音なのか、引戸４を所定開き量に戻すまで鳴り続ける警報音なのかを理解させるためである。
【００３８】
２−２．検出部
第１検出部６３及び第２検出部６４は、取付ボックス６０内に配置され、図２の左右方向（開閉方向）における引戸４の位置を検出することができる。第１検出部６３及び第２検出部６４は、非接触型のセンサであって、例えば磁気形近接スイッチを採用することができ、引戸４の窓側取付部材７０に固定された磁石７４を検出することで引戸４の位置を
検出することができる。非接触型のセンサとしては、公知のものを採用することができ、例えば、光電形近接スイッチなどを用いてもよい。また、引戸４の左右方向の位置を検出することができれば、接触型であってもよい。
【００３９】
第１検出部６３は、引戸４の開き量が第１開き量Ｌ１であることを検出する。第１検出部６３が引戸４が開かれて引戸４の開き量が第１開き量Ｌ１であることを検出すると、回路６１を介して通知部６２が音を発する。したがって、第１検出部６３によって引戸４が第１開き量Ｌ１以上に開かれたことを検出できる。
【００４０】
より具体的に説明すると、第１検出部６３は、引戸４が閉まった状態から図２における左方向へ引戸４を移動させて、引戸４の上端に設けられた磁石７４が第１検出部６３の真下まで来るとその磁束を検出し、引戸４が第１開き量Ｌ１に開いた状態であることを検出する。そして、第１検出部６３の検出結果に基づいて、回路６１が通知部６２から音を発生させる。具体的には、第１検出部６３から回路６１へ信号を出力すると、回路６１が通知部６２へ電流を流して音が発生することになる。
【００４１】
上述したように、第１検出部６３の検出結果に基づく通知部６２が発する音は所定時間経過後に停止する。
【００４２】
また、通知部６２が音を発生している状態で再び第１検出部６３が磁石７４を検出すると、回路６１が通知部６２への通電を停止して音を止めてもよい。
【００４３】
第２検出部６４は、第１検出部６３と係止部材６６との間に配置される。第２検出部６４は、引戸４が第１開き量Ｌ１を超えた第２開き量Ｌ２まで開いたことを検出する。係止機構６５は、引戸４が所定の開き量Ｌ３に至る前に、第２検出部６４の検出結果に基づいて係止部材６６を所定の開き量Ｌ３以上には開かないように制限する状態にする。第１の検出部６３の他に第２検出部６４を有することにより、引戸４の開き量をより正確に検出することができ、２つの検出部６３，６４の配置を適宜設定することによって第１開き量Ｌ１と第２開き量Ｌ２とを所望の量に設定できる。
【００４４】
具体的には、第２検出部６４は、引戸４を図２における左方向へさらに移動させて磁石７４が第２検出部６４の真下まで来るとその磁束を検出し、引戸４が第２開き量（Ｌ２）に開いた状態であることを検出する。そして、第２検出部６４から回路６１へ信号を出力すると、回路６１が係止機構６５のソレノイドへ電流を流して係止部材６６が引戸４の規制部材７２に当接する位置で固定され、係止部材６６が引戸４を所定の開き量Ｌ３以上には開かないように制限する。
【００４５】
また、係止部材６６が引戸４を所定の開き量Ｌ３以上に開かないようにした状態で再び第２検出部６４が磁石７４を検出すると、回路６１が係止機構６５のソレノイドへの通電を止める。
【００４６】
第２検出部６４によって、引戸４が第２開き量Ｌ２まで開かれたことを検出すると、通知部６２が音を連続して発し、引戸４が第２開き量Ｌ２を超えるまで開いた後に第２開き量Ｌ２未満に戻された場合に、通知部６２が音を停止する。
【００４７】
２−３．係止機構
係止機構６５は、建物側に固定され、引戸４に対し係止部材６６を進退可能に構成され。引戸４側へ突出する係止部材６６を引戸４に設けられた規制部材７２に当接させて所定の開き量Ｌ３以上に引戸４が開かないようにする機構を備える。
【００４８】
例えば、係止機構６５は、係止部材６６と、係止部材６６を常時後退させた状態で維持する図示しないバネ部材と、通電することで係止部材６６をバネ部材に抗して前進させる図示しないソレノイドと、を含む。なお、バネ部材とソレノイドとが一体化した、電力を供給しない状態で常時後退方向に付勢させるソレノイドであってもよい。
【００４９】
図２では、係止機構６５の係止部材６６は、説明を容易にするために、引戸４の移動を規制する場合には引戸４に前進し、引戸４の移動を規制しない場合には引戸４から後退する単純な構成で示しているが、これに限られるものでは無い。引戸４に用いる係止機構６５として公知の機構を採用することができ、例えば、係止部材６６をラッチボルトとして、常時（バネなどの弾性部材により強制的に）引戸４側へ前進させておき、引戸４の移動を規制する場合には係止部材６６の後退を制限（ソレノイドの励磁により後退側に制限部材を当接して移動を制限）する構成としてもよい。
【００５０】
図７は、図５におけるＡ−Ａ断面図である。係止部材６６は、正面から見ると図２に示すように規制部材７２と当接する高さと当接しない高さとの間で上下に移動可能であり、側面から見ると図７に示すように規制部材７２と重なる位置と重ならない位置との間で上下に移動可能である。したがって、係止部材６６は、前進位置（図４，５を参照）で引戸４の開く方向において規制部材７２の左側面と当接して引戸４の移動を制限する。
【００５１】
また、本実施形態では係止部材６６は上下方向に移動するものであるが、これに限らず、例えば図２における前後方向に移動するものであってもよい。その場合には、係止機構６５を窓側取付部材７０に対し図２における前後方向で重なる位置に配置すればよい。
【００５２】
３．窓側取付部材
窓側取付部材７０は、板状で、窓枠４０の上端右側に固定される。窓側取付部材７０は、図２における前方向に突出する規制部材７２と、図２における上方に僅かに突出する磁石７４と、が設けられている。
【００５３】
規制部材７２は、係止部材６６と当接して引戸４の開き方向への移動を制限するものである。規制部材７２は、係止部材６６と当接する状態で引戸４の位置が所定の開き量Ｌ３になる位置に取り付けられている。なお、引戸４が所定の開き量Ｌ３になる位置が特定できれば、規制部材７２と係止部材６６の取付位置は適宜設定できる。
【００５４】
磁石７４は、第１検出部６３及び第２検出部６４の磁気センサによって引戸４の位置を検出させるための検出体である。磁石７４は検出体であるので、第１検出部６３及び第２検出部６４のセンサの種類に合わせて適宜選定することができる。
【００５５】
４．動作説明
図３〜図６を用いて、開放制限装置６の動作について説明する。図３〜図５は引戸４を開いたときの本実施形態に係る開放制限装置６の動作について説明する図であり、図６は引戸４を閉める方向に移動したときの本実施形態に係る開放制限装置６の動作について説明する図である。
【００５６】
図３に示すように、利用者が引戸４を第１開き量Ｌ１まで開くと、磁石７４が第１検出部６３の下にあり、第１検出部６３は引戸４が第１開き量Ｌ１にあることを検出する。第１検出部６３の検出結果に基づいて、回路６１は通知部６２に通電し、音例えば警報音を発する。所定時間経過しても引戸４が第２開き量Ｌ２に達しない位置で止まっていれば、警報音は止まる。
【００５７】
図４に示すように、引戸４をさらに開いて第２開き量Ｌ２まで開くと、磁石７４が第２
検出部６４の下にあり、第２検出部６４は引戸４が第２開き量Ｌ２にあることを検出する。第２検出部６４の検出結果に基づいて、回路６１は係止機構６５の図示しないソレノイドに通電し、係止部材６６を前進（下方へ突出）させる。同時に、通知部６２が連続して警報音を発する。なお、引戸４が第２開き量Ｌ２にあるときには、まだ規制部材７２は係止部材６６に当接する位置まで達していない。
【００５８】
図５に示すように、引戸４が所定の開き量Ｌ３まで開くと、規制部材７２の左側面が係止部材６６に当接して、引戸４が所定の開き量Ｌ３よりも大きく開かないように引戸４の移動を機械的に制限する。この状態でも、通知部６２の警報音は鳴りやまない。
【００５９】
図６に示すように、利用者が引戸４を閉める方向に移動すると、まず磁石７４が第２検出部６４の下を通過することで回路６１は係止機構６５のソレノイドへの通電を停止して係止部材６６が上昇すると共に、通知部６２への通電も停止して警報音は停止する。
【００６０】
利用者は、引戸４を開くことで警報音が鳴り、引戸４をある程度の開き量まで閉めると警報音が止むことを理解する。そのため、次回からは、利用者はより迅速に警報音が鳴りやむ位置まで引戸４を戻すことになり、係止機構６５のソレノイドへの通電時間を短縮することができ、省電力の効果が上がる。
【００６１】
５．変形例
変形例に係る引戸４の開放制限装置６ａは、建物側に固定され、引戸４と機械的に接触する接触部６８をさらに含む。接触部６８が引戸４と接触して引戸４の移動に対して負荷を与えることによって、引戸４を開く者に引戸４が第１開き量Ｌ１に達したことを通知する。このようにすることで、音と共に、接触部６８による負荷によって利用者に引戸４が第１開き量Ｌ１に達したことを通知できる。
【００６２】
より具体的に、図８を用いて変形例に係る開放制限装置６ａについて説明する。図８は、引戸４に取り付けられた変形例に係る開放制限装置６ａを模式的に示す正面図である。
【００６３】
図８に示すように、開放制限装置６ａは、通知部６２の下方へ突出する接触部６８を有する点と、磁石７４の上方から突出する被接触部７６を有する点とが上述した開放制限装置６と異なる。
【００６４】
接触部６８は、引戸４を開くことで被接触部７６に接触して上方へ押し上げられる。接触部６８は所定の圧力で下方へ押されており、被接触部７６による上方への押し上げ力に抗することで引戸４の移動に対して負荷を与える。その結果、引戸４の開放操作をしている利用者に引戸４が第１開き量Ｌ１に達したことを通知する。また、接触部６８が被接触部７６を通過する際に「カチッ」というクリック音を出すようにしてもよい。さらに、接触部６８と被接触部７６は、通知部６２と磁石７４に設けることに限られず、引戸４が第１開き量Ｌ１に達したことを通知できる位置であればよい。
【００６５】
また、磁石７４が第１検出部６３で検出されるため、通知部６２が警報音を発することになり、利用者に引戸４が第１開き量Ｌ１に達したことを音と引戸４の移動負荷により通知することができる。
【００６６】
引戸４の移動負荷により、利用者はより第１開き量Ｌ１の段階で引戸４を開こうとすることをやめ、あるいは警報音に促されて再びクリック音が鳴る位置まで引戸４を戻すため、係止機構６５のソレノイドへの通電が発生せず、より省電力の効果を得ることができる。
【００６７】
他の変形例としては、第１検出部６３を設けず、第２検出部６４だけであってもよい。その場合には、引戸４を開いて第２検出部６４が第２開き量Ｌ２を検出すると、通知部６２から音を発すると共に、係止機構６５の係止部材６６が所定の開き量Ｌ３以上に引戸４が開かれることを制限するように動作する。そして、引戸４を閉じる方向に移動して第２検出部６４が再び第２開き量Ｌ２を検出すると、通知部６２の音を停止すると共に、係止機構６５への電力供給を停止する。このようにしても従来に比べて消費電力を削減することができる。
【００６８】
６．効果の説明
図９を用いて、上記実施形態の効果について説明する。図９は、上記実施形態に係る開放制限装置６と従来の開放制限装置との引戸４の開放操作における電流値を比較する図である。
【００６９】
従来の開放制限装置においては、換気のために所定の開き量Ｌ３だけ引戸を開いている時刻ｔ１から時刻ｔ５までの間、常に係止機構のソレノイドへの通電を行っているため、回路からは電流値ａ１（アンペア）が出力されている。
【００７０】
上記実施形態に係る開放制限装置６においては、換気のために引戸４を開いている時刻ｔ１から時刻ｔ５までの間でも、回路６１が出力する電流は短時間である。具体的には、利用者が引戸４を開くと、通知部６２が警報音を発するため電流値ａ２（アンペア）が時刻ｔ１から時刻ｔ２まで流れ、係止機構６５のソレノイドへの通電により電流値ａ３（アンペア）が時刻ｔ２から流れ始めるがすぐに利用者が引戸４を第１開き量Ｌ１（警報音が第２開き量Ｌ２まで戻れば止む場合には第２開き量Ｌ２）未満まで戻すため時刻ｔ３にはソレノイドへの通電が終わり、時刻ｔ４には通知部６２への通電も停止する。この状態で、引戸４は第１開き量Ｌ１だけ開いた状態にあり、換気が可能である。
【００７１】
このように、従来の開放制限装置に比べると、上記実施形態に係る開放制限装置６は明らかに電力消費が少なくなることがわかる。特に、医療施設や介護施設などのように個室数が多い場合には電力消費が小さくなることによって、大きな利益となる。
【００７２】
本考案は、上述した実施形態に限定されるものではなく、さらに種々の変形が可能である。例えば、本考案は、実施形態で説明した構成と実質的に同一の構成（例えば、機能、方法、及び結果が同一の構成、あるいは目的及び効果が同一の構成）を含む。また、本考案は、実施形態で説明した構成の本質的でない部分を置き換えた構成を含む。また、本考案は、実施形態で説明した構成と同一の作用効果を奏する構成又は同一の目的を達成することができる構成を含む。また、本考案は、実施形態で説明した構成に公知技術を付加した構成を含む。
【符号の説明】
【００７３】
１…上枠、２…縦枠、３…縦枠、４…引戸、５…引戸、６，６ａ…開放制限装置、４０…窓枠、４２…ガラス、５０…窓枠、５２…ガラス、６０…取付ボックス、６１…回路、６２…通知部、６３…第１検出部、６４…第２検出部、６５…係止機構、６６…係止部材、６７…管理装置、６８…接触部、７０…窓側取付部材、７２…規制部材、７４…磁石、７６…被接触部、Ｌ１…第１開き量、Ｌ２…第２開き量、Ｌ３…所定の開き量、ａ１〜ａ３…電流値、ｔ１〜ｔ４…時刻
【図１】
0003201209.tif 000003
【図２】
0003201209.tif 000004
【図３】
0003201209.tif 000005
【図４】
0003201209.tif 000006
【図５】
0003201209.tif 000007
【図６】
0003201209.tif 000008
【図７】
0003201209.tif 000009
【図８】
0003201209.tif 000010
【図９】
0003201209.tif 000011